(57)【特許請求の範囲】
【請求項１】
直胴部を有するシリコンロッドを搬出するために吊り上げられ、前記シリコンロッドの先端部を挟み込むことにより前記シリコンロッドを支持する支持部と、
前記支持部と接続され、前記シリコンロッドの本数と少なくとも同じ本数以上存在し、かつ、前記支持部を吊り上げるための第１紐と、
前記第１紐に接続され、前記シリコンロッドに対して巻き付くことにより前記シリコンロッドを保持する第２紐と、を備えることを特徴とする搬出治具。
【請求項２】
搬出される前記シリコンロッドは、２か所の前記直胴部が上部で結合したＵ字形状を有し、
前記支持部には、前記シリコンロッドにおけるＵ字形状の２つの前記先端部が前記支持部によって挟み込まれた状態となることにより、２つの前記先端部のそれぞれが嵌合する２つの開口部が形成され、
前記２つの開口部は、それぞれ、２つの前記先端部が並ぶ方向と同一の方向を長手方向とする形状を有することを特徴とする請求項１に記載の搬出治具。
【請求項３】
前記開口部は、前記支持部における前記シリコンロッドを支持する側の第１表面から前記第１表面とは反対側の第２表面に向かうにつれて先細りする形状となる部分を少なくとも有するように、前記支持部に形成されることを特徴とする請求項２に記載の搬出治具。
【請求項４】
前記支持部は、前記先端部を挟み込む２枚の板部から構成され、
前記２枚の板部の間の距離を固定する固定部材をさらに備えることを特徴とする請求項１から３のいずれか１項に記載の搬出治具。
【請求項５】
前記シリコンロッドよりも上側に配置され、複数の前記第１紐が前記直胴部の長軸方向に対してそれぞれ平行になるように、前記複数の第１紐が接続された第１紐接続部をさらに備えることを特徴とする請求項１から４のいずれか１項に記載の搬出治具。
【請求項６】
前記第２紐が複数存在し、少なくとも１つの前記第２紐が保護部材を介して前記シリコンロッドを保持する請求項１から５のいずれか１項に記載の搬出治具。
【請求項７】
直胴部を有するシリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、
前記支持部を吊り上げる工程と、
前記支持部によって前記シリコンロッドの先端部を挟み込むことにより前記シリコンロッドを支持する工程と、
前記第１紐に接続された第２紐を前記シリコンロッドに巻き付けることにより前記シリコンロッドを保持する工程と、を含むことを特徴とする搬出方法。
【請求項８】
少なくとも１対の電極が設けられ、シリコン析出用の原料ガスが供給された反応器内において、両端が前記電極に接続されているシリコン芯線に通電することにより、前記シリコン芯線にシリコンを析出させて、直胴部を有するシリコンロッドを取得する工程と、
前記反応器から前記シリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、
前記支持部を吊り上げる工程と、
前記支持部によって前記シリコンロッドの先端部を挟み込むことにより前記シリコンロッドを支持する工程と、
前記第１紐に接続された第２紐を前記シリコンロッドに巻き付けることにより前記シリコンロッドを保持する工程と、を含むことを特徴とするシリコンロッドの製造方法。
【発明の詳細な説明】
【技術分野】
【０００１】
本発明は、搬出治具、搬出方法及びシリコンロッドの製造方法に関する。
【背景技術】
【０００２】
シリコンロッドを反応器の外部に搬出するための搬出治具が従来技術として知られている。例えば、特許文献１には、シリコンロッドを内部に収容するための筒状部材と、筒状部材内に設けられ、シリコンロッドの側面を押圧することにより筒状部材内にシリコンロッドをホールドするエアバッグと、を備える搬出治具が開示されている。
【先行技術文献】
【特許文献】
【０００３】
【特許文献１】日本国公開特許公報「特開２０１３−１５９５０４号公報（２０１３年８月１９日公開）」
【発明の概要】
【発明が解決しようとする課題】
【０００４】
しかしながら、特許文献１に開示されている搬出治具では、筒状部材及びエアバッグによるシリコンロッドへの接触が多くなる。このため、シリコンロッドを反応器の外部に搬出するとき、筒状部材が揺れることによってシリコンロッドが損傷する虞があるという問題がある。また、シリコンロッドへの接触が多くなると、多結晶シリコンロッドが汚染されるという問題もある。本発明の一態様は、シリコンロッドへの接触を十分に少なくし、シリコンロッドの損傷を低減することを目的とする。
【課題を解決するための手段】
【０００５】
前記の課題を解決するために、本発明の一態様に係る搬出治具は、直胴部を有するシリコンロッドを搬出するために吊り上げられ、前記シリコンロッドの先端部を挟み込むことにより前記シリコンロッドを支持する支持部と、前記支持部と接続され、前記シリコンロッドの本数と少なくとも同じ本数以上存在し、かつ、前記支持部を吊り上げるための第１紐と、前記第１紐に接続され、前記シリコンロッドに対して巻き付くことにより前記シリコンロッドを保持する第２紐と、を備える。【０００６】
本発明の一態様に係る搬出方法は、直胴部を有するシリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、前記支持部を吊り上げる工程と、前記支持部によって前記シリコンロッドの先端部を挟み込むことにより前記シリコンロッドを支持する工程と、前記第１紐に接続された第２紐を前記シリコンロッドに巻き付けることにより前記シリコンロッドを保持する工程と、を含む。【０００７】
本発明の一態様に係るシリコンロッドの製造方法は、少なくとも１対の電極が設けられ、シリコン析出用の原料ガスが供給された反応器内において、両端が前記電極に接続されているシリコン芯線に通電することにより、前記シリコン芯線にシリコンを析出させて、直胴部を有するシリコンロッドを取得する工程と、前記反応器から前記シリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、前記支持部を吊り上げる工程と、前記支持部によって前記シリコンロッドの先端部を挟み込むことにより前記シリコンロッドを支持する工程と、前記第１紐に接続された第２紐を前記シリコンロッドに巻き付けることにより前記シリコンロッドを保持する工程と、を含む。
【発明の効果】
【０００８】
本発明の一態様によれば、シリコンロッドへの接触を十分に少なくすることができ、シリコンロッドの損傷を低減することができる。
【図面の簡単な説明】
【０００９】
【図１】本発明の実施形態１に係る搬出治具の構成を示す図である。
【図２】図１に示す搬出治具が備える支持部の詳細な構成を示す図である。
【図３】図１に示す搬出治具において、第２紐が保護部材を介してシリコンロッドを保持する様子を示す図である。
【図４】本発明の実施形態２に係る搬出治具の構成を示す図である。
【図５】図４に示す搬出治具とは別の搬出治具の構成を示す図である。
【発明を実施するための形態】
【００１０】
〔実施形態１〕
（搬出治具１の構成）
搬出治具１の構成、シリコンロッド１０の搬出方法及びシリコンロッド１０の製造方法について、図１及び図２に基づいて説明する。図１は、本発明の実施形態１に係る搬出治具１の構成を示す図である。図２は、図１に示す搬出治具１が備える支持部２０の詳細な構成を示す図である。なお、反応器９０は、シリコンロッド１０が配置される底部と、前記底部に対して着脱可能な蓋部と、から構成されているが、図１は、反応器９０の底部を示し、反応器９０の蓋部を省略している。図３から図５は、反応器９０を省略している。
【００１１】
また、図１においては、シリコンロッド１０の直胴部１１が並ぶ方向をＸ方向、支持部２０の２枚の板部２１，２２が並ぶ方向をＹ方向、支持部２０からシリコンロッド１０に向かう方向をＺ方向とする。Ｚ方向を上方向とする。Ｘ方向、Ｙ方向及びＺ方向は、互いに垂直となっている。図２から図５に示すＸ方向、Ｙ方向及びＺ方向は、それぞれ、図１に示すＸ方向、Ｙ方向及びＺ方向と同様の方向である。
【００１２】
搬出治具１は、反応器９０からシリコンロッド１０を搬出するときに用いられるものである。搬出治具１は、図１に示すように、支持部２０と、第１紐３０と、第２紐４０と、固定部材５０と、第１紐接続部６０と、第３紐７０と、を備えている。反応器９０から搬出されるシリコンロッド１０は、２か所の直胴部１１が上部で結合したＵ字形状を有する。具体的には、２か所の直胴部１１の上端は、橋架け部１２を介して互いに結合している。
【００１３】
反応器９０には、少なくとも１対の電極８０が設けられている。反応器９０の底部に反応器９０の蓋部が装着された状態で、反応器９０内には、シリコン析出用の原料ガスが供給される。この場合において、両端が電極８０に接続されているシリコン芯線１４に通電することにより、シリコン芯線１４にシリコンを析出させて、直胴部１１及び橋架け部１２を有するシリコンロッド１０を取得する（シリコンロッドを取得する工程）。
【００１４】
反応器９０内に供給されるシリコン析出用の原料ガスとしては、例えば、トリクロロシランやモノシラン等のシラン化合物のガスが使用される。シリコン芯線１４の前記両端は、カーボン製の芯線保持部材１３から構成されている。本発明は、シリコン芯線１４に析出されるシリコンが多結晶シリコンである場合に適用範囲が限定されるものではなく、シリコン芯線１４に析出されるシリコンが単結晶シリコンである場合にも適用されるものである。
【００１５】
（支持部２０の構成）
支持部２０は、シリコンロッド１０を搬出するために吊り上げられ、シリコンロッド１０の先端部１５を挟み込むことによりシリコンロッド１０を支持する（シリコンロッドを支持する工程）。支持部２０は、シリコンロッド１０を支持するために用いられる。支持部２０は、例えば、樹脂製である。当該樹脂は、特に制限されるものではないが、ポリアミド樹脂、ポリエステル樹脂、アクリル樹脂、メタアクリル樹脂、ポリウレタン樹脂、エポキシ樹脂、ポリカーボネート樹脂及びポリオレフィン樹脂等が使用できる。図２において、点線Ｌ１で囲まれた図は、支持部２０の平面図であり、点線Ｌ２で囲まれた図は、支持部２０の正面図である。
【００１６】
支持部２０には、図２のうち点線Ｌ１で囲まれた図に示すように、シリコンロッド１０におけるＵ字形状の２つの先端部１５が支持部２０によって挟み込まれた状態となることにより、２つの先端部１５のそれぞれが嵌合する２つの開口部２３が形成される。２つの開口部２３は、それぞれ、２つの先端部１５が並ぶ方向と同一の方向（Ｘ方向）を長手方向とする形状を有する。
【００１７】
前記構成によれば、２つの先端部１５の間の距離が異なる様々なシリコンロッド１０において、シリコンロッド１０の２つの先端部１５を、それぞれ、２つの開口部２３に容易に嵌合させることができる。よって、２つの開口部２３の間の距離が異なる複数の搬出治具を用意する必要がなく、シリコンロッド１０の搬出の作業性を向上させることができる。なお、２つの開口部２３の大きさは、それぞれ、２つの先端部１５の間の距離が異なる様々なシリコンロッド１０に対応できるように、２つの先端部１５の間の距離を許容する程度の大きさであればよい。
【００１８】
支持部２０は、２つの先端部１５を挟み込む２枚の板部２１，２２から構成される。２枚の板部２１，２２が２つの先端部１５を挟み込んだ状態で、２枚の板部２１，２２の一端側に対してＸ方向から固定部材５０を嵌め込み、２枚の板部２１，２２の他端側に対してＸ方向とは反対方向から別の固定部材５０を嵌め込む。
【００１９】
これにより、２つの固定部材５０は、２枚の板部２１，２２に対して外側から囲むように配置され、２枚の板部２１，２２の間の距離を固定する。前記構成によれば、固定部材５０によって２枚の板部２１，２２の間の距離が固定されるため、シリコンロッド１０を支持部２０に固定することができる。
【００２０】
また、固定部材５０によって２枚の板部２１，２２の間の距離が固定されることにより、板部２１に形成された凹部と板部２２に形成された凹部とが対向するように配置される。これらの凹部によって開口部２３が形成される。２枚の板部２１，２２には、それぞれ、第１紐３０を通すための２つの穴２６が形成されている。つまり、支持部２０には、４つの穴２６が形成されている。
【００２１】
開口部２３は、図２のうち点線Ｌ１で囲まれた図に示すように、Ｚ方向とは反対方向から見て、線ＳＬで示す部分に対応する直線と、線ＳＣで示す部分に対応する半円と、から形成されている。つまり、２つの開口部２３は、それぞれ、２つの直線と、２つの半円と、から形成されている。なお、２つの開口部２３は、Ｘ方向を長手方向とする楕円から形成されていてもよい。シリコンロッド１０を吊り上げる際、シリコンロッド１０に対してＺ方向の力を加える箇所を２つの先端部１５とする。
【００２２】
２つの開口部２３は、それぞれ、支持部２０におけるシリコンロッド１０を支持する側の第１表面２４から第１表面２４とは反対側の第２表面２５に向かうにつれて先細りする形状となる部分を少なくとも有するように、支持部２０に形成される。例えば、２つの開口部２３は、第１表面２４から第２表面２５に向かうにつれて先細りする形状となる部分として、傾斜面２３１を有する。図２のうち点線Ｌ２で囲まれた図では、開口部２３は、傾斜面２３１のみで形成されているが、開口部２３の一部が、第１表面２４から第２表面２５に向かうにつれて先細りする形状で形成されてもよい。
【００２３】
前記構成において、シリコンロッド１０の２つの先端部１５は、曲面となっているため、支持部２０にシリコンロッド１０を嵌合させ易くなる。よって、支持部２０に対してシリコンロッド１０を強固に支持させることができる。また、例えば、支持部２０が樹脂製である場合、先細りする形状の傾斜部分が形成されることにより、シリコンロッド１０と支持部２０とが接触する部分を低減することができる。このため、支持部２０が削れる量等を低減することができる。その結果、シリコンへの不純物の混入を抑制することができる。
【００２４】
搬出されるシリコンロッド１０について直胴部１１の直径が小さい程、第２表面２５に対する傾斜面２３１の傾斜角度θが大きい支持部２０を準備してもよい。これにより、支持部２０に対してシリコンロッド１０をより強固に支持させることができる。なお、開口部２３は、第１表面２４から第２表面２５に向かうにつれて先細りする形状となる部分として、傾斜面２３１に代えて曲面を有してもよい。
【００２５】
（第１紐３０の構成）
第１紐３０は、支持部２０を吊り上げるためのものである。第１紐３０は、支持部２０及び第１紐接続部６０と接続されており、シリコンロッド１０の本数と少なくとも同じ本数以上存在する。例えば、搬出されるシリコンロッド１０の本数が１本である場合、第１紐３０は１本以上存在する。特に、シリコンロッド１０を構成する直胴部１１の数以上の第１紐３０が存在することが好ましい。例えば、直胴部を２箇所有するＵ字型のシリコンロッドの場合、第１紐は、少なくとも１本以上存在する必要があり、２本以上存在することが好ましい。
【００２６】
第１紐３０の本数の上限値は、作業の効率、作業の安定性及び接触部分の低減という観点から、当該直胴部１１の数の４倍であることが好ましく、当該直胴部１１の２倍であることがより好ましく、当該直胴部１１と同じ数であることがさらに好ましい。
【００２７】
第１紐３０、第２紐４０及び第３紐７０は、それぞれ、樹脂製であることが好ましい。当該樹脂は、特に制限されるものではないが、ポリアミド樹脂、ポリエステル樹脂、アクリル樹脂、メタアクリル樹脂、ポリウレタン樹脂、エポキシ樹脂、ポリカーボネート樹脂、及びポリオレフィン樹脂等が使用できる。
【００２８】
図１の場合、搬出されるシリコンロッド１０の本数は１本であり、当該シリコンロッド１０を構成する直胴部１１は２箇所存在し、第１紐３０の本数は２本である。シリコンロッド１０を反応器９０から搬出する際には、第１紐３０を支持部２０に接続する（第１紐を支持部に接続する工程）。第１紐３０は、シリコンロッド１０の直胴部１１が並ぶ方向において、シリコンロッド１０より外側に配置されている。また、第１紐３０は、Ｚ方向と平行な方向に延伸する。
【００２９】
ここで、第１紐接続部６０には、第１穴、第２穴、第３穴及び第４穴（いずれも図示せず）の４つの穴が形成されているものとする。一方の第１紐３０について、その第１端は、前記第１穴に通されるとともに、第１紐３０のうち支持部２０と第１紐接続部６０との間の部分に結び付けられて接続される。これにより、第１紐３０の前記第１端は、第１紐接続部６０に接続される。
【００３０】
また、第１紐３０における前記第１端とは反対側の第２端は、板部２１に形成された１つの穴２６に通され、板部２２に形成された１つの穴２６に通される。前記第２端は、前記第２穴に通され、第１紐３０のうち支持部２０と第１紐接続部６０との間の部分に結び付けられて接続される。これにより、第１紐３０は、支持部２０及び第１紐接続部６０に接続される。
【００３１】
他方の第１紐３０も、一方の第１紐３０と同様に、前記第３穴及び前記第４穴に通されるとともに、板部２１に形成された１つの穴２６及び板部２２に形成された１つの穴２６に通されることにより、支持部２０及び第１紐接続部６０に接続される。よって、シリコンロッド１０の本数が１本（直胴部１１は２箇所）であり、第１紐３０が２本存在している場合、２本の第１紐３０は、前記のように、支持部２０及び第１紐接続部６０に接続される。
【００３２】
その他の例として、図５に示すように、シリコンロッド１０の本数が１本であり、当該シリコンロッド１０を構成する直胴部１１は２箇所存在し、第１紐３０が４本存在している場合を考える。ここで、第１紐３０と第１紐接続部６０との接続は、前記で説明した接続と同様であるものとする。この場合、４本の第１紐３０のそれぞれについて、その第１端は、第１紐接続部６０に接続される。また、第１紐３０における当該第１端とは反対側の第２端は、板部２１，２２のいずれかの穴２６に通されるとともに、第１紐３０のうち支持部２０と第１紐接続部６０との間の部分に接続されてもよい。これにより、４本の第１紐３０は、前記のように、支持部２０及び第１紐接続部６０に接続される。
【００３３】
第１紐３０が支持部２０及び第１紐接続部６０に接続される形態は、前記に説明した形態には限定されない。つまり、第１紐３０の本数、第１紐３０と支持部２０との接続方法や第１紐３０と第１紐接続部６０との接続方法は、シリコンロッド１０の搬出を行うことが可能であれば、適宜変更してもよい。第３紐７０が第１紐接続部６０に接続される形態でも同様である。
【００３４】
さらに、反応器９０内でシリコンロッド１０が析出中であるときに、シリコンロッド１０の橋架け部１２が割れた場合を考える。この場合、シリコンロッドは、直胴部１１から構成されるＩ字形状を有する。つまり、シリコンロッドの本数は１本であり、直胴部も１箇所となる。このとき、搬出治具１において、第１紐３０は、１本存在していればよく、搬出治具１を用いてＩ字形状を有する１本のシリコンロッドを搬出することができる。
【００３５】
（第２紐４０の構成）
第２紐４０は、第１紐３０に接続され、シリコンロッド１０に対して巻き付くことによりシリコンロッド１０を保持する。第２紐４０は、複数存在していてもよく、第１紐３０に結び付けられて接続され、シリコンロッド１０の直胴部１１を取り囲んで巻き付いている。シリコンロッド１０を反応器９０から搬出する際には、第２紐４０をシリコンロッド１０に巻き付けることによりシリコンロッド１０を保持する（シリコンロッドを保持する工程）。
【００３６】
（第１紐接続部６０の構成）
第１紐接続部６０は、シリコンロッド１０よりも上側に配置され、複数の第１紐３０が直胴部１１の長軸方向に対してそれぞれ平行になるように、複数の第１紐３０が接続されている。換言すると、第１紐接続部６０は、シリコンロッド１０に対してＺ方向側に配置される。また、複数の第１紐３０は、第１紐接続部６０に接続されることにより、直胴部１１の長軸方向であるＺ方向に対してそれぞれ平行になる。
【００３７】
前記構成によれば、搬出治具１が第１紐接続部６０を備えることにより、シリコンロッド１０を安定して運搬することができる。また、第２紐４０等を結びやすくなるため、作業がし易くなる。具体的には、シリコンロッド１０をクレーン（図示せず）で吊った状態で移動させることが考えられるため、搬出治具１が第１紐接続部６０を備えることにより、シリコンロッド１０を安定して運搬することができる。また、搬出治具１が第１紐接続部６０を備えることにより、第１紐３０や第２紐４０同士が絡むことを防止することもできる。その結果、作業効率を向上させ、作業時間を短縮することができる。
【００３８】
第１紐接続部６０には、第３紐７０が接続されている。シリコンロッド１０を反応器９０から搬出する際に、シリコンロッド１０が支持部２０によって支持された状態で、第３紐７０をクレーンで吊り上げることにより支持部２０を吊り上げる（支持部を吊り上げる工程）。なお、搬出治具１は、第３紐７０を備えていなくてもよい。この場合、第１紐３０は、第１紐接続部６０に接続されるとともに、第１紐接続部６０より上側において、第１紐３０をクレーンで吊り上げることにより支持部２０を吊り上げる。
【００３９】
第２紐の本数は、シリコンロッド１０の大きさに応じて、適宜最適な数を決定すればよい。中でも、作業の効率、作業の安定性及び接触部分の低減という観点から、第２紐の本数は、第１紐の本数以上、第１紐の本数の１０倍以下であることが好ましく、第１紐の本数以上、第１紐の本数の５倍以下であることがより好ましい。
【００４０】
以上により、シリコンロッド１０が接触するものは、支持部２０及び第２紐４０であり、支持部２０は、材料として用いられる部分が少ないシリコンロッド１０の先端部１５と接触する。このため、シリコンロッド１０への接触を十分に少なくすることができる。また、第２紐４０によってシリコンロッド１０を保持することにより、支持部２０を吊り上げるときのシリコンロッド１０の揺れを低減することができる。よって、シリコンロッド１０の損傷を低減することができる。また、シリコンロッド１０の搬出作業を安全、かつ、短時間で行うことができる。
【００４１】
（保護部材１６の構成）
シリコンロッド１０を反応器９０から搬出する際、図３に示すように、シリコンロッド１０を保護するための保護部材１６を用いることが好ましい。つまり、第２紐４０が複数存在し、少なくとも１つの第２紐４０が保護部材１６を介してシリコンロッド１０を保持することが好ましい。図３は、図１に示す搬出治具１において、第２紐４０が保護部材１６を介してシリコンロッド１０を保持する様子を示す図である。具体的に以下に説明する。
【００４２】
シリコンロッド１０と第２紐４０との間に保護部材１６を設けることにより、第２紐４０に集中する力を分散させることができ、シリコンロッド１０の割れを低減することができる。特に、他の第２紐４０と比べて最も高い位置でシリコンロッド１０を保持する第２紐４０が、保護部材１６を介してシリコンロッド１０を保持することが好ましい。最も高い位置にある第２紐４０の場所は、一番重さや力がかかる場所であり、この場所においては、保護部材１６によってシリコンロッド１０の割れを効果的に低減することができる。
【００４３】
保護部材１６は、布状のものであればよく、網目状であり、かつ、布状のものであってもよい。保護部材１６の材質は、有機高分子材料（樹脂製）が好ましい。保護部材１６が網目状のものであれば、保護部材１６の材質が金属材料であっても、シリコンロッド１０と保護部材１６との接触部分を低減することができるため、保護部材１６を使用することができる。
【００４４】
保護部材１６の材質が有機高分子材料（樹脂製）であれば、シリコンロッド１０が保護部材１６と接触しても、シリコンロッド１０への金属不純物の付着が極めて少ない。当該有機高分子材料（樹脂製）としては、特に制限されるものではないが、ポリアミド樹脂、ポリエステル樹脂、アクリル樹脂、メタアクリル樹脂、ポリウレタン樹脂、エポキシ樹脂、ポリカーボネート樹脂及びポリオレフィン樹脂等が使用できる。
【００４５】
〔実施形態２〕
本発明の実施形態２について、図４及び図５に基づいて説明する。なお、説明の便宜上、実施形態１にて説明した部材と同じ機能を有する部材については、同じ符号を付記し、その説明を繰り返さない。図４は、本発明の実施形態２に係る搬出治具１Ａの構成を示す図である。図５は、図４に示す搬出治具１Ａとは別の搬出治具１Ｂの構成を示す図である。
【００４６】
搬出治具１Ａは、図４に示すように、搬出治具１と比べて、第１紐接続部６０及び第３紐７０を備えていない点と、第１紐３０における他の部材との関係性と、が異なる。一方の第１紐３０について、その第１端は、クレーン（図示せず）で吊り上げられる。当該第１端とは反対側の第２端は、板部２１に形成された１つの穴２６に通され、板部２２に形成された１つの穴２６に通されるとともに、前記第１端と接続される。これにより、第１紐３０は、支持部２０に接続される。
【００４７】
他方の第１紐３０も、一方の第１紐３０と同様に、支持部２０に接続され、クレーンで吊り上げられる。この場合、第１紐３０と支持部２０との接続箇所ＣＮ１は、シリコンロッド１０の直胴部１１が並ぶ方向において、シリコンロッド１０より外側に配置されている。第１紐３０におけるシリコンロッド１０より上側の接続箇所ＣＮ２は、Ｚ方向とは反対方向から見て、シリコンロッド１０の中央位置ＭＰと略一致する。
【００４８】
よって、搬出治具１Ａでは、図４に示すように、第１紐３０の延伸方向は、Ｚ方向と平行な方向にはならず、Ｚ方向と平行な方向に対して傾斜する方向となる。つまり、シリコンロッド１０の本数が１本であり、第１紐３０が２本存在している場合、２本の第１紐３０は、前記のように、支持部２０に接続されるとともに、クレーンで吊り上げられる。
【００４９】
一方、搬出治具１Ｂは、図５に示すように、搬出治具１と比べて、第１紐接続部６０及び第３紐７０を備えていない点と、第１紐３０の本数と、支持部２０が支持部２０Ｂに変更されている点と、が異なる。支持部２０Ｂは、支持部２０と同様に、２枚の板部２１Ｂ，２２Ｂから構成される。
【００５０】
２枚の板部２１Ｂ，２２Ｂには、それぞれ、第１紐３０を通すための４つの穴２６が形成されている。つまり、支持部２０Ｂには、８つの穴２６が形成されている。１本の第１紐３０について、その第１端は、クレーン（図示せず）で吊り上げられる。当該第１端とは反対側の第２端は、板部２１Ｂに形成された１つの穴２６に通され、板部２２Ｂに形成された１つの穴２６に通されるとともに、前記第１端と接続される。これにより、第１紐３０は、支持部２０Ｂに接続される。
【００５１】
他の３本の第１紐３０も、前記１本の第１紐３０と同様に、支持部２０Ｂに接続され、クレーンで吊り上げられる。この場合、外側の２本の第１紐３０は、シリコンロッド１０の直胴部１１が並ぶ方向において、シリコンロッド１０より外側に配置されている。内側の２本の第１紐３０は、シリコンロッド１０の直胴部１１が並ぶ方向において、シリコンロッド１０より内側に配置されている。つまり、シリコンロッド１０の本数が１本であり、第１紐３０が４本存在している場合、４本の第１紐３０は、前記のように、支持部２０Ｂに接続されるとともに、クレーンで吊り上げられる。
【００５２】
〔まとめ〕
本発明の一態様に係る搬出治具は、直胴部を有するシリコンロッドを搬出するために吊り上げられ、前記シリコンロッドの先端部を挟み込むことにより前記シリコンロッドを支持する支持部と、前記支持部と接続され、前記シリコンロッドの本数と少なくとも同じ本数以上存在し、かつ、前記支持部を吊り上げるための第１紐と、前記第１紐に接続され、前記シリコンロッドに対して巻き付くことにより前記シリコンロッドを保持する第２紐と、を備える。
【００５３】
前記構成によれば、シリコンロッドが接触するものは、支持部及び第２紐であり、支持部は、材料として用いられる部分が少ないシリコンロッドの先端部と接触する。このため、シリコンロッドへの接触を十分に少なくすることができる。また、第２紐によってシリコンロッドを保持することにより、支持部を吊り上げるときのシリコンロッドの揺れを低減することができる。よって、シリコンロッドの損傷を低減することができる。
【００５４】
搬出される前記シリコンロッドは、２か所の前記直胴部が上部で結合したＵ字形状を有し、前記支持部には、前記シリコンロッドにおけるＵ字形状の２つの前記先端部が前記支持部によって挟み込まれた状態となることにより、２つの前記先端部のそれぞれが嵌合する２つの開口部が形成され、前記２つの開口部は、それぞれ、２つの前記先端部が並ぶ方向と同一の方向を長手方向とする形状を有してもよい。
【００５５】
前記構成によれば、２つの先端部の間の距離が異なる様々なシリコンロッドにおいて、シリコンロッドの２つの先端部を、それぞれ、２つの開口部に容易に嵌合させることができる。よって、２つの開口部の間の距離が異なる複数の搬出治具を用意する必要がなく、シリコンロッドの搬出の作業性を向上させることができる。
【００５６】
前記開口部は、前記支持部における前記シリコンロッドを支持する側の第１表面から前記第１表面とは反対側の第２表面に向かうにつれて先細りする形状となる部分を少なくとも有するように、前記支持部に形成されてもよい。
【００５７】
前記構成において、シリコンロッドの２つの先端部は、曲面となっているため、支持部にシリコンロッドを嵌合させ易くなる。よって、支持部に対してシリコンロッドを強固に支持させることができる。また、例えば、支持部が樹脂製である場合、先細りする形状の傾斜部分が形成されることにより、シリコンロッドと支持部とが接触する部分を低減することができる。このため、前記支持部が削れる量等を低減することができる。その結果、シリコンへの不純物の混入を抑制することができる。
【００５８】
前記支持部は、前記先端部を挟み込む２枚の板部から構成され、前記搬出治具は、前記２枚の板部の間の距離を固定する固定部材をさらに備えてもよい。前記構成によれば、固定部材によって２枚の板部の間の距離が固定されるため、シリコンロッドを支持部に固定することができる。
【００５９】
前記搬出治具は、前記シリコンロッドよりも上側に配置され、複数の前記第１紐が前記直胴部の長軸方向に対してそれぞれ平行になるように、前記複数の第１紐が接続された第１紐接続部をさらに備えてもよい。
【００６０】
前記構成によれば、搬出治具が第１紐接続部を備えることにより、シリコンロッドを安定して運搬することができる。また、第２紐等を結びやすくなるため、作業がし易くなる。具体的には、シリコンロッドをクレーンで吊った状態で移動させることが考えられるため、搬出治具が第１紐接続部を備えることにより、シリコンロッドを安定して運搬することができる。また、搬出治具が第１紐接続部を備えることにより、第１紐や第２紐同士が絡むことを防止することもできる。その結果、作業効率を向上させ、作業時間を短縮することができる。
【００６１】
前記第２紐が複数存在し、少なくとも１つの前記第２紐が保護部材を介して前記シリコンロッドを保持してもよい。
【００６２】
前記構成によれば、シリコンロッドと第２紐との間に保護部材を設けることにより、第２紐に集中する力を分散させることができ、シリコンロッドの割れを低減することができる。特に、他の第２紐と比べて最も高い位置でシリコンロッドを保持する第２紐が、保護部材を介してシリコンロッドを保持することが好ましい。最も高い位置にある第２紐の場所は、一番重さや力がかかる場所であり、この場所においては、保護部材によってシリコンロッドの割れを効果的に低減することができる。
【００６３】
保護部材は、布状のものであればよく、網目状であり、かつ、布状のものであってもよい。保護部材の材質は、有機高分子材料（樹脂製）が好ましい。保護部材が網目状のものであれば、保護部材の材質が金属材料であっても、シリコンロッドと保護部材との接触部分を低減することができるため、保護部材を使用することができる。保護部材の材質が有機高分子材料であれば、シリコンロッドが保護部材と接触しても、シリコンロッドへの金属不純物の付着が極めて少ない。
【００６４】
本発明の一態様に係る搬出方法は、直胴部を有するシリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、前記支持部を吊り上げる工程と、前記支持部によって前記シリコンロッドの先端部を挟み込むことにより前記シリコンロッドを支持する工程と、前記第１紐に接続された第２紐を前記シリコンロッドに巻き付けることにより前記シリコンロッドを保持する工程と、を含む。
【００６５】
本発明の一態様に係るシリコンロッドの製造方法は、少なくとも１対の電極が設けられ、シリコン析出用の原料ガスが供給された反応器内において、両端が前記電極に接続されているシリコン芯線に通電することにより、前記シリコン芯線にシリコンを析出させて、直胴部を有するシリコンロッドを取得する工程と、前記反応器から前記シリコンロッドを搬出するために、前記シリコンロッドを支持するために用いられる支持部を吊り上げるためのものであり、前記シリコンロッドの本数と少なくとも同じ本数以上存在する第１紐を前記支持部に接続する工程と、前記支持部を吊り上げる工程と、前記支持部によって前記シリコンロッドの先端部を挟み込むことにより前記シリコンロッドを支持する工程と、前記第１紐に接続された第２紐を前記シリコンロッドに巻き付けることにより前記シリコンロッドを保持する工程と、を含む。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６７】
１、１Ａ、１Ｂ  搬出治具
１０  シリコンロッド
１１  直胴部
１５  先端部
１６  保護部材
２０、２０Ｂ  支持部
２１、２１Ｂ、２２、２２Ｂ  板部
２３  開口部
２４  第１表面
２５  第２表面
３０  第１紐
５０  固定部材
６０  第１紐接続部
８０  電極
９０  反応器
【要約】
搬出治具（１）は、シリコンロッド（１０）を搬出するために吊り上げられ、シリコンロッド（１０）の先端部（１５）を挟み込むことによりシリコンロッド（１０）を支持する支持部（２０）と、シリコンロッド（１０）の本数と少なくとも同じ本数以上存在し、かつ、支持部（２０）を吊り上げるための第１紐（３０）と、シリコンロッド（１０）に対して巻き付くことによりシリコンロッド（１０）を保持する第２紐（４０）と、を備える。【図１】
0006776486.tif 000002
【図２】
0006776486.tif 000003
【図３】
0006776486.tif 000004
【図４】
0006776486.tif 000005
【図５】
0006776486.tif 000006